(57)【要約】【課題】  発泡樹脂製の魚箱の汚染や腐敗臭の付着が防止され、魚箱の繰り返し使用ができコストダウンが可能で、また、繰り返し使用後も、樹脂やペレットとし、再度発泡成形して魚箱等にリサイクルすることも可能で、資源の節約と環境の保全に大きく貢献することができる魚箱用内装容器を提供する。【解決手段】  発泡樹脂製の蓋体５ａと容器本体５ｂとからなる魚箱５内に設置されるフィルム製の容器１ａであって、前記フィルム製容器１ａの少なくとも側壁に波形状部Ｗが形成されていることを特徴とする魚箱用内装容器１である。【選択図】図１１
2010254309.tif 000002
【特許請求の範囲】
【請求項１】
発泡樹脂製の蓋体と容器本体とからなる魚箱内に設置されるフィルム製の容器であって、前記フィルム製容器の少なくとも側壁に波形状部が形成されていることを特徴とする魚箱用内装容器。
【請求項２】
フィルム製容器に着脱自在に嵌合するフィルム製の蓋が設けられ、該蓋が天板部と該天板部の対向する２辺又は４辺から延設された垂下部とからなることを特徴とする請求項１記載の魚箱用内装容器。
【請求項３】
フィルム製容器の少なくとも上部付近に水平方向の波形状部が形成されるとともに、フィルム製蓋の垂下部に水平方向の波形状部が形成されていることを特徴とする請求項２記載の魚箱用内装容器。
【請求項４】
フィルム製容器の平面視で４角を面取りしたことを特徴とする請求項１〜３のいずれか１項に記載の魚箱用内装容器。
【請求項５】
フィルム製容器の側壁が底部に向かって収束するテーパー状に形成されていることを特徴とする請求項１〜４のいずれか１項に記載の魚箱用内装容器。
【請求項６】
フィルム製容器が複数積層されていることを特徴とする請求項１〜５のいずれか１項に記載の魚箱用内装容器。
【請求項７】
フィルム製容器の外側に吸水性シートが貼着されていることを特徴とする請求項１〜６のいずれか１項に記載の魚箱用内装容器。
【請求項８】
フィルム製容器の底部に、波形状部又は複数の凹部が形成されていることを特徴とする請求項１〜７のいずれか１項に記載の魚箱用内装容器。
【請求項９】
フィルム製容器の側壁外側に粘着層と該粘着部の上の剥離層とからなる固定具が設けられていることを特徴とする請求項１〜８のいずれか１項に記載の魚箱用内装容器。
【請求項１０】
フィルム製容器及び／又はフィルム製蓋が透明であることを特徴とする請求項１〜９のいずれか１項に記載の魚箱用内装容器。
【請求項１１】
請求項１〜１０のいずれか１項に記載の魚箱用内装容器が、発泡樹脂製の蓋体と容器本体とからなる魚箱内に設置されていることを特徴とする魚箱。
【請求項１２】
魚箱の蓋体及び／又は容器本体の外側に、筆記、消去が可能なフィルムが貼着されていることを特徴とする請求項１１記載の魚箱。
【発明の詳細な説明】
【技術分野】
【０００１】
本発明は、魚箱用内装容器及び該容器が設置された魚箱に関し、更に詳しくは、魚から滲み出たドリップ等による魚箱の汚れや臭いの付着を防止し、魚箱の繰り返し使用を可能とするとともに、繰り返し使用した後に、魚箱を減容、粉砕して原料樹脂とし再度魚箱等に発泡成形するリサイクルを可能とする魚箱用内装容器及び該容器が設置された魚箱に関する。
【背景技術】
【０００２】
従来、魚箱はトロ箱と云われ、臭いの移らないナラ、ブナ等の木製が用いられたが、今日では、軽量で断熱性に優れるとともに耐水性にも優れた発泡スチロール製のものが広く用いられている（例えば、特許文献１参照）。
【先行技術文献】
【特許文献】
【０００３】
【特許文献１】実用新案登録第３０１０２４１号公報
【発明の概要】
【発明が解決しようとする課題】
【０００４】
しかしながら、発泡スチロール製の魚箱は、多数の発泡セルが融着して形成されているため、発泡セル間には微小の隙間が存在し、この隙間に魚介類から滲み出たドリップ（液汁）が侵入することが避けられない。この発泡セルの隙間に侵入したドリップは洗剤によっても洗浄除去できず、従って、時間の経過とともに腐敗するため、極めて非衛生的であるばかりでなく、不快な腐敗臭を放つため、通常、１回限りの使用で廃棄処分されているのが実情で極めて不経済である。
【０００５】
また、廃棄処分される魚箱は、上記のようにドリップで汚染されたり、不快な腐敗臭が付着しているため、加熱して減容させ、粉砕機にかけて粒状又は粉末状としたり、これらを押出機にかけてペレット化して再び魚箱に発泡成形する所謂リサイクルが困難であり、そのため、焼却処理や埋立処理されているのが実情である。
【０００６】
しかしながら、焼却処理は高温により焼却炉を損傷したり、また、有害ガスを放出して環境を悪化させる原因となり、また、埋立処理の場合も、発泡スチロールは土中で長時間分解しないため、やはり環境を悪化させる原因となる。
【０００７】
本発明は、かかる実情に鑑み、上記の如き従来技術の問題点を解消し、ドリップの侵入等による魚箱の汚染や腐敗臭の付着を防止し、衛生的な状態で繰り返し使用を可能として魚箱のコストダウンを図るとともに、繰り返し使用した後においても、焼却や埋立処理することなく、樹脂やペレットとして原料樹脂とし、再度発泡成形して魚箱等にリサイクルでき、資源の節約と環境への負荷の軽減を図ることを目的とする。
【課題を解決するための手段】
【０００８】
本発明は上記目的を達成するためになされたもので、本発明の請求項１に係る発明は、発泡樹脂製の蓋体と容器本体とからなる魚箱内に設置されるフィルム製の容器であって、前記フィルム製容器の少なくとも側壁に波形状部が形成されていることを特徴とする魚箱用内装容器を内容とする。
【０００９】
本発明の請求項２に係る発明は、フィルム製容器に着脱自在に嵌合するフィルム製の蓋が設けられ、該蓋が天板部と該天板部の対向する２辺又は４辺から延設された垂下部とからなることを特徴とする請求項１記載の魚箱用内装容器を内容とする。
【００１０】
本発明の請求項３に係る発明は、フィルム製容器の少なくとも上部付近に水平方向の波形状部が形成されるとともに、フィルム製蓋の垂下部に水平方向の波形状部が形成されていることを特徴とする請求項２記載の魚箱用内装容器を内容とする。
【００１１】
本発明の請求項４に係る発明は、フィルム製容器の平面視で４角を面取りしたことを特徴とする請求項１〜３のいずれか１項に記載の魚箱用内装容器を内容とする。
【００１２】
本発明の請求項５に係る発明は、フィルム製容器の側壁が底部に向かって収束するテーパー状に形成されていることを特徴とする請求項１〜４のいずれか１項に記載の魚箱用内装容器を内容とする。
【００１３】
本発明の請求項６に係る発明は、フィルム製容器が複数積層されていることを特徴とする請求項１〜５のいずれか１項に記載の魚箱用内装容器を内容とする。
【００１４】
本発明の請求項７に係る発明は、フィルム製容器の外側に吸水性シートが貼着されていることを特徴とする請求項１〜６のいずれか１項に記載の魚箱用内装容器を内容とする。
【００１５】
本発明の請求項８に係る発明は、フィルム製容器の底部に、波形状部又は複数の凹部が形成されていることを特徴とする請求項１〜７のいずれか１項に記載の魚箱用内装容器を内容とする。
【００１６】
本発明の請求項９に係る発明は、フィルム製容器の側壁外側に粘着層と該粘着部の上の剥離層とからなる固定具が設けられていることを特徴とする請求項１〜８のいずれか１項に記載の魚箱用内装容器を内容とする。
【００１７】
本発明の請求項１０に係る発明は、フィルム製容器及び／又はフィルム製蓋が透明であることを特徴とする請求項１〜９のいずれか１項に記載の魚箱用内装容器を内容とする。
【００１８】
本発明の請求項１１に係る発明は、請求項１〜１０のいずれか１項に記載の魚箱用内装容器が、発泡樹脂製の蓋体と容器本体とからなる魚箱内に設置されていることを特徴とする魚箱を内容とする。
【００１９】
本発明の請求項１２に係る発明は、魚箱の蓋体及び／又は容器本体の外側に、筆記、消去が可能なフィルムが貼着されていることを特徴とする請求項１１記載の魚箱を内容とする。
【発明の効果】
【００２０】
本発明の魚箱用内装容器は、少なくともフィルム製の容器であって、該フィルム製容器の少なくとも側壁に波形状部が形成されているため、薄いフィルムでも該波形状部により強度が付与されるので形状保持性及び自立性を有し、魚箱内に密接して設置することができる。
従って、魚箱の内容積を実質的に小さくすることがなく、また、形状保持性及び自立性によりフィルム製容器が内側に倒れたりしないので、魚介類を作業性良く収納することができる。
【００２１】
魚介類から滲み出たドリップは、魚箱の内側に設置された魚箱用内装容器により、魚箱との接触が妨げられるので、魚箱の発泡セル内の隙間に侵入することがなく、汚染や腐敗臭付着等の問題が解消され、衛生的な状態で繰り返し使用することができ、コストダウンが図られる。
また、繰り返し使用した後も、汚染や腐敗臭の付着がないので、樹脂やペレットとしてリサイクルし、再度発泡成形して魚箱等にリサイクルすることが可能で、資源の節約と環境の保全に貢献することができる。
【００２２】
フィルム製容器に着脱自在に嵌合するフィルム製の蓋を設けると一層衛生的で好ましく、更に蓋が天板部と該天板部の対向する２辺又は４辺から延設された垂下部とからなるのが好ましい。
更に、フィルム製容器の少なくとも上部付近に水平方向の波形状部が形成され、上記フィルム製蓋の垂下部に水平方向の波形状部が形成されていると、容器の波形状部と蓋の波形状部とを重合させることにより、容易に蓋を容器に被着でき、更に、この重合の程度を調節することにより、フィルム製容器の容積を調節することができる。
【００２３】
フィルム製容器の平面視で４角を面取りしたり、フィルム製容器の側壁を底部に向かって収束するテーパー状とすることにより、フィルム製容器の魚箱内への設置が容易となる。
【００２４】
フィルム製容器が複数積層されていると、一のフィルム製容器が汚染したり損傷した場合に、その容器を取り去ることにより、新しいフィルム製容器を設置した状態とすることができる。
この場合、フィルム製容器の側壁が底部に向かって収束するテーパー状に形成すると、容器を複数積層し易く、また、魚箱内への挿入設置も容易となる。
【００２５】
フィルム製容器の外側に吸水性シートを貼着すると、万一、フィルム製容器にピンホールやクラック等が生じたとしても、洩出したドリップが吸水性シートに吸収され、魚箱（発泡セル間隙）への侵入が阻止される。
【００２６】
フィルム製容器の底部に波形状部又は複数の凹部が形成されていると、ドリップが波形状部の谷部や凹部に留まり、魚介類がドリップから分離されるので魚介類の鮮度を保持することができる。
【００２７】
フィルム製容器の側壁外側に粘着層と該粘着層の上に剥離層とが設けられた固定具を設けると、剥離層を取り去り粘着層を露出させてフィルム製容器を魚箱の内壁面に固定することができる。
【００２８】
フィルム製容器が透明であると、魚箱の汚染度がチェックでき、また、蓋が透明であると、例えば、魚箱の蓋体を取り去り、フィルム製蓋を被着した衛生的な状態で収納した魚介類をディスプレーに供することができる。
【図面の簡単な説明】
【００２９】
【図１】図１は魚箱用内装容器の一例を示す斜視図である。
【図２】図２は魚箱用内装容器の他の例を示す斜視図である。
【図３】図３は魚箱用内装容器の他の例を示す斜視図である。
【図４】図４は魚箱用内装容器の他の例を示し、（ａ）は蓋の斜視図、（ｂ）は該蓋を図１のフィルム製容器に被着した状態を示す概略図である。
【図５】図５は魚箱用内装容器の他の例を示し、（ａ）は蓋の斜視図、（ｂ）は該蓋を図３のフィルム製容器に被着した状態を示す概略図である。
【図６】図６は４角を面取りした魚箱用内装容器の例を示す上面図である。
【図７】図７は複数積層した魚箱用内装容器の例を示す概略図である。
【図８】図８は外側に吸水性シートを貼着した魚箱用内装容器の例を示す概略図である。
【図９】図８は底部に凹部を設けた魚箱用内装容器の例を示す概略図である。
【図１０】図１０は固定具を設けた魚箱用内装容器の例を示す概略図である。
【図１１】図１１は図４の魚箱用内装容器を内部に設置した魚箱を示す概略図である。
【図１２】図１２は図５の魚箱用内装容器を内部に設置した魚箱を示す概略図である。
【発明を実施するための形態】
【００３０】
本発明の魚箱用内装容器は、発泡樹脂製の蓋体と容器本体とからなる魚箱内に設置されるフィルム製の容器であって、前記フィルム製容器の少なくとも側壁に波形状部が形成されていることを特徴とする。
【００３１】
フィルム製容器の素材は特に制限されず、例えば、ポリスチレン、ポリプロピレン、ポリ塩化ビニル、ポリエステル、ポリアミド等が挙げられる。フィルムの厚さは、魚箱のサイズや収納される魚介の種類により適宜選定すればよいが、通常０．２〜０．５ｍｍ程度である。
【００３２】
フィルム製容器の少なくとも側壁には波形状部が設けられる。波形状部を設けることにより、強度が大きくなり、形状保持性や自立性が付与されるので取り扱い性が容易となり、また魚箱内に設置した場合にも、例えば、内側に倒れるといったトラブルも生じないので、魚介類の収納又は取り出しの作業性も良好である。また、フィルムの厚さを小さくすることができ、コストダウンを図ることができる。
波形状部としては、上記した形状保持性や自立性を付与する目的が達成されるならば特に制限されないが、凹凸が交互に繰り返される波形状の他、凹部又は凸部又は凹部と凸部とが平坦部を介して繰り返される形状でもよい。凹凸の形状は特に制限されず、半円状、半楕円状、矩形状等のいずれでもよい。また、凹凸のサイズも特に制限されず、、例えば、半円状の場合は、通常、半径が１〜１０ｍｍ、好ましくは１〜６ｍｍ程度である。
【００３３】
波形状部は、水平方向、垂直方向、又はこれらの両方に設けられるが、少なくとも側壁の上部付近に水平方向に設けると、後記するように、蓋の波形状部と重合させることにより蓋を容易にフィルム製容器に被着できるので好ましい。この波形状部はクッション材の役割も果たし、輸送中や取り扱い中における振動や衝撃から魚介類を保護するので、フィルム製容器の全面に設けるのが好ましい。
【００３４】
フィルム製容器には、着脱自在に嵌合するフィルム製の蓋を設けるのが好ましい。フィルム製蓋は天板部と該天板部の対向する２辺又は４辺から延設された垂下部とからなるものが好ましく、更に、該垂下部に水平方向の波形状部を設けるのが好ましい。
このように、フィルム製蓋の垂下部に水平方向の波形状部を設けることにより、フィルム製容器に設けた波形状部と重合させることにより容易にフィルム製蓋をフィルム製容器に嵌合できるとともに、その重合の程度を調節することにより、フィルム製容器の容積を調節することができる。
【００３５】
フィルム製容器は、平面視で４角を面取り（角取り）することにより、魚箱内の挿入設置が容易になる。また、フィルム製容器の側壁を底部に向かって収束するテーパー状とすることにより、同様に、魚箱内への挿入設置が容易になる。
【００３６】
フィルム製容器は、複数積層することもできる。このように複数積層することにより、万一、一のフィルム製容器にピンホールやクラックが生じたり、汚染されたとしても、このフィルム製容器を取り除くことにより、新しいフィルム製容器を設置した状態とすることができる。積層数には特に制限はないが、実用性の点から通常２〜５個程度である。
この場合、上記したように、側壁を底部に向かって収束するテーパー状とすれば積層が容易になるとともに、魚箱内への挿入設置が容易になる。
【００３７】
フィルム製容器の外側に吸水性シートを貼着することができる。このようにすることにより、万一、フィルム製容器にピンホールが開いたり、クラックが入ったりした場合に、魚介類からのドリップを吸水性シートが吸収して、魚箱を汚染することが防止される。吸水性シートとしては、不織布等が好ましい。
【００３８】
フィルム製容器の底部に、波形状部又は複数の凹部を形成することができる。このようにすることにより、魚介類からのドリップが波形状部の谷部又は凹部に留まり、その結果、魚介類がドリップから分離されるので魚介類の鮮度を保つことができる。波形状部は上記した補強用の波形状部でもよいが、魚介類からのドリップの量によっては、大き目と波形状とするのが好ましい。このような波形状部や凹部は、ドリップ留めとしてのみならず、クッション的な効果により、例えば、輸送中や取り扱い中の振動や衝撃から魚介類を保護する役割も果たす。
【００３９】
フィルム製容器の側壁外側に、粘着層と該粘着層の上の剥離層とからなる固定具を設けることができる。このようにすることにより、剥離層を取り去り粘着層を露出させ、この粘着層によりフィルム製容器を魚箱内壁面に固定することができる。
【００４０】
フィルム製容器は透明であることが好ましい。このようにすれば、魚箱の汚れ具合をチェックすることができる。また、蓋も透明であることが好ましく、このようにすることにより、蓋をしたままで収納した魚介類の種類や鮮度等をチェックでき、また、例えば、魚箱の蓋体を取り去り、蓋をした衛生的な状態でディスプレーに供することができる。
【００４１】
本発明のフィルム製容器及びフィルム製蓋には、抗菌剤や防臭剤を練り込んだり、塗布することも可能である。このような抗菌剤、防臭剤としては安全なものが用いられ、例えば、青森ヒバ、ヒノキ、スギ、ユーカリ等の微粉末や抽出物、キトサン等が挙げられ、これらは単独で又は必要に応じ２種以上組み合わせて用いられる。これらの抗菌剤や防臭剤は、吸水性シートにも適用することができる。
【００４２】
本発明の魚箱用内装容器は、発泡樹脂製の蓋体と容器本体とからなる魚箱内に設置して使用される。発泡樹脂としては特に制限はなく、ポリスチロールや、ポリエチレン、ポリプロピレン等のポリオレフィン等が挙げられる。
本発明の魚箱用内装容器は、フィルム製であるので、魚箱内壁に沿って殆ど隙間なくフィットした状態で設置されるので、魚箱の収納容積を実質的に低下させることがなく、また、形状保持性、自立性を有し、必要に応じ、粘着層で魚箱内壁面に固定されるので、魚介類の収納や取り出しも容易である。
【００４３】
本発明の魚箱用内装容器を内部に設置した魚箱は繰り返し使用されるので、魚箱の蓋体や容器本体の外側における、魚種、数量、原産地、配送先等の記録は繰り返し消去、記録が可能なものや、貼り替え可能なものが好ましい。前者の消去、記録が可能なものとしては、例えば、魚箱の蓋体や容器本体（例えば、側壁）の外側に水性筆記具等で筆記、消去が可能なフィルム（シートを含む）を貼着する方法が挙げられ、また、後者の貼り替え可能なものとしては、例えば、不用意に剥がれることがないが、必要に応じ引き剥がすことのできる弱接着剤を使用したラベルが挙げられる。
【実施例】
【００４４】
以下、本発明を実施例に基づき更に詳細な説明するが、本発明はかかる実施例のみに限定されないことは云うまでもない。
以下の実施例において、透明な魚箱用内装容器について示したが、図面の複雑化を避けるために、一部簡略化されている場合がある。
【００４５】
実施例１
本実施例の魚箱用内装容器１は、図１に示すように、全ての側壁及び底部に波形状部Ｗが形成されたフィルム製容器１ａからなる。
本実施例では、側壁の波形状部Ｗは水平方向に設けられているので、側壁に対し横方向にかかる圧力に対して強く、従って、内側に倒れるように変形したり、魚介類の収納や取り出しの作業性を低下させるようなことはない。
また、底部にも波形状部Ｗが形成されているので、魚介類からのドリップは波形状部Ｗの谷部に留まり、魚介類とは分離されるので魚介類の鮮度が保持される。
更に、側壁及び底部の全面に波形状部Ｗが形成されているので、適度なクッション性が付与され、輸送中や取り扱い中における振動や衝撃から魚介類が保護される。
【００４６】
実施例２
本実施例の魚箱用内装容器１は、図２に示すように、フィルム製容器１ａの上部付近に波形状部Ｗが形成されている。
本実施例では、波形状部Ｗは水平方向に設けられているので、実施例１の場合と同様、側壁に対し横方向にかかる圧力に対して強く、内側に倒れるようなことはない。また、上部付近に波形状部Ｗが形成されているので、後記するように、蓋の波形状部と重合させることにより、蓋をフィルム製容器１に容易に被着させることができる。
【００４７】
実施例３
本実施例の魚箱用内装容器１は、図３に示すように、実施例２（図２）の魚箱用内装容器１において、上部付近の水平方向の波形状部Ｗ１の下方に垂直方向の波形状部Ｗ２を形成するとともに、底部にも波形状部Ｗを形成してなる。
このように構成することにより、上部付近の水平方向の波形状部Ｗ１により横方向にかかる圧力に対し抵抗力を発揮し、一方、下方の垂直方向の波形状部Ｗ２により縦方向にかかる圧力に対し抵抗力を発揮し、縦横両方向の形状保持性及び自立性が高められる。
【００４８】
実施例４
本実施例の魚箱用内装容器１は、図４に示すように、実施例１（図１）の魚箱用内装容器１のフィルム製容器１ａ（（ｂ）参照）と、天板部２ａとその対向する２辺から延設された垂下部２ｂとからなり、該垂下部２ｂに水平方向の波形状部Ｗを形成した蓋２（（ａ）参照）とからなる。
本実施例では、蓋２は、垂下部２ｂの波形状部Ｗをフィルム製容器１ａの波形状部Ｗの内側で重合させている（内嵌め）。
【００４９】
実施例５
本実施例の魚箱用内装容器１は、図５に示すように、実施例３（図３）の魚箱用内装容器１のフィルム製容器１ａ（（ｂ）参照）と、天板部２ａとその対向する４辺から延設された垂下部２ｂからなり、該垂下部２ｂに波形状部Ｗを形成した蓋２（（ａ）参照）とからなる。
本実施例では、蓋２は、垂下部２ｂの波形状部Ｗをフィルム製容器１ａの波形状部Ｗの外側で重合させている（外嵌め）。
また、本実施例では、フィルム製蓋２の垂下部２ｂの波形状部Ｗを少し上方にずらせてフィルム製容器１ａの波形状部Ｗと重合しているので、ずらせた距離Ｈだけフィルム製容器１ａの容積が拡大されている。
【００５０】
実施例６
本実施例の魚箱用内装容器１は、図６に示すように、フィルム製容器の４角が面取り（角取り）処理され、この面取り（角取り）部１ｂにより魚箱への挿入設置が容易である。
【００５１】
実施例７
本実施例の魚箱用内装容器１は、図７に示すように、複数（図では３個）積層されたフィルム製容器１ａからなる。
本実施例では、フィルム製容器１ａが底部に向かって収束するテーパー状に形成されているこのテーパー状部１ｃにより、積層も容易であり、また、魚箱内への挿入設置も容易である。
このように複数積層することにより、例えば、一のフィルム製容器が破壊したり、汚染したとしても、これを取り除くことにより、新たなフィルム製容器を設置した状態で使用することができる。
【００５２】
実施例８
本実施例は、図８に示すように、フィルム製容器１ａの外側に吸水性シート４が貼着されている。フィルム製容器１ａに、万一、ピンホールが開いたり、クラックが入ったような場合には、ドリップが洩出するが、この吸水性シート４に吸収されて、魚箱（発泡セルの間隙）に侵入することが防止される。
【００５３】
実施例９
本実施例の魚箱用内装容器１は、図９に示すように、フィルム製容器１ａの底部にドリップ留め用の凹部１ｄが複数個設けられている。魚介類からのドリップはこれらの凹部に留まり、魚介類はドリップと分離されるので、鮮度を保持することができます。
【００５４】
実施例１０
本実施例の魚箱用内装容器１は、図１０に示すように、フィルム製容器１ａの上方角部に粘着層３ａとその上に設けられた離型層３ｂとからなる固定具３が設けられている。
固定具３の離型層３ｂを取り去り粘着層３ａを露出させ、この貼着層３ａにより、フィルム製容器１ａを魚箱の内壁面に固定することができる。
【００５５】
実施例１１
本実施例は、図１１に示すように、発泡樹脂製の蓋体５ａと容器本体５ｂとからなる魚箱５内に、実施例４（図４）の魚箱用内装容器１を設置したものである。本実施例では、魚箱５は、容器本体５ｂの開口部内周に設けた凸部と、蓋体５ａの外周に設けた凹部との嵌合により、蓋体５ａが容器本体５ｂに被着されている。
【００５６】
実施例１２
本実施例は、図１２に示すように、発泡樹脂製の蓋体４ａと容器本体４ｂとからなる魚箱４内に、実施例５（図５）の魚箱用内装容器１を設置したものである。本実施例では、箱体５は容器本体５ｂの開口部の略中央部に設けた凹部と、蓋体５ａの略中央部に設けた凸部との嵌合により、蓋体５ａが容器本体５ｂに被着されている。
【００５７】
「魚箱のコストダウンの試算例」
本発明の魚箱用内装容器を使用することにより、発泡スチロール製魚箱がリサイクル（再使用）されると、どの程度コストダウンされるかについて、１０００箱をベースとして試算した。結果を表１に示す。
【００５８】
表１中、Ａ欄に示すように、魚箱の新品価格を１箱１，０００円とした。一方、本発明の魚箱用内装容器の１個の価格を３７０円とし、従って、これを設置した魚箱の１箱の価格は１，３７０円である。
Ｂ欄は、（ア）は回収率で３０％、４０％、５０％、６０％とし、（イ）は回収箱数で、「１０００箱×（ア）回収率」である。
（ウ）はリサイクルコストで、１箱当り２００円とした（「小売店等でのリサイクルコスト１００円／箱」プラス「運送業者のリサイクルコスト１００円／箱」）。
Ｃ欄は、本発明の魚箱用内装容器を設置した魚箱をリサイクルした場合の価格で、（エ）の非リサイクル箱数×１箱当りの新品価格１，３７０円で算出された（オ）の非リサイクル箱価格と、上記（ウ）のリサイクルコストとの合計額である。
Ｄ欄の１箱当りの価格は、従来の魚箱の１箱当りの価格はリサイクルしないので１０００円と変わらず、一方、本発明の魚箱用内装容器を設置した魚箱の１箱当りの価格は、Ｃのリサイクルした場合の価格／１０００箱である。
Ｄ欄の結果から明らかなように、回収率が３０％では１箱当りの価格は１，０１９円と従来の魚箱の１，０００円に比べ若干割高となるが、回収率が４０％では９０２円とコストダウンとなり、回収率が６０％では６６８円と大巾なコストダウンとなることがわかる。
【００５９】
【表１】
2010254309.tif 000003
【産業上の利用可能性】
【００６０】
叙上のとおり、本発明の魚箱用内装容器によれば、発泡樹脂製の魚箱の汚染や腐敗臭の付着が防止され、従って、魚箱の繰り返し使用が可能となり、大巾なコストダウンが可能である。また、繰り返し使用後も、汚染や腐敗臭の付着がないので、樹脂やペレットとしリサイクルし、再度発泡成形して魚箱等にリサイクルすることも可能で、資源の節約と環境の保全に大きく貢献することができる。
【符号の説明】
【００６１】
１  魚箱用内装容器
１ａ  フィルム製容器
１ｂ  面取り（角取り）部
１ｃ  テーパー状部
１ｄ  凹部
２  フィルム製蓋
２ａ  天板部
２ｂ  垂下部
３  固定具
３ａ  粘着層
３ｂ  剥離層
４  吸水性シート
５  魚箱
５ａ  蓋体
５ｂ  容器本体
Ｗ  波形状部
Ｗ１  水平方向の波形状部
Ｗ２  垂直方向の波形状部
【図１】
2010254309.tif 000004
【図２】
2010254309.tif 000005
【図３】
2010254309.tif 000006
【図４】
2010254309.tif 000007
【図５】
2010254309.tif 000008
【図６】
2010254309.tif 000009
【図７】
2010254309.tif 000010
【図８】
2010254309.tif 000011
【図９】
2010254309.tif 000012
【図１０】
2010254309.tif 000013
【図１１】
2010254309.tif 000014
【図１２】
2010254309.tif 000015